(57)【要約】【課題】  近年、入力の画像サイズは大きくなってきており、これに伴い、ＷＦＭデータの算出に必要なメモリサイズも大きくなるため、回路規模が課題となっている。モニターの高画素化が進むと、さらに大きな問題となる。【解決手段】  被写体を撮像して記録する撮像装置において、撮像した画像を信号処理して画像データとして出力する信号処理手段と、前記画像データを保持する第１の記憶手段と、前記記憶手段の画像データを読み出して画像データを回転する回転手段と、前記回転画像を演算処理して頻度情報データとして保持する頻度情報画像化手段と、前記頻度情報出力手段の出力データを保持する第２の記憶手段と、前記第２の記憶手段に保持されているデータを出力する出力手段を有する。【選択図】図１
2020102788.tif 000002
【特許請求の範囲】
【請求項１】
被写体を撮像して記録する撮像装置において、
撮像した画像を信号処理して画像データとして出力する信号処理手段と、
前記画像データを保持する第１の記憶手段と、
前記第１の記憶手段の画像データを読み出して画像データを回転する回転手段と、
回転画像を演算処理して頻度情報データとして保持する頻度情報画像化手段と、
前記頻度情報画像化手段の出力データを保持する第２の記憶手段と、
前記第２の記憶手段に保持されているデータを出力する出力手段と、
を有することを特徴とする撮像装置。
【請求項２】
被写体を撮像して記録する撮像装置において、
撮像した画像を縮小処理して縮小画像データを生成する縮小処理手段と、
前記縮小画像データを信号処理して画像データとして出力する信号処理手段と、
前記画像データを保持する第１の記憶手段と、
前記第１の記憶手段の画像データを読み出して画像データを回転する回転手段と、
回転画像を演算処理して頻度情報データとして保持する頻度情報画像化手段と、
前記頻度情報画像化手段の出力データを保持する第２の記憶手段と、
前記第２の記憶手段に保持されているデータを出力する出力手段と、
を有することを特徴とする撮像装置。
【請求項３】
前記頻度情報画像化手段は、前記回転手段において生成した水平同期信号により、初期化することを特徴とする請求項１又は２に記載の撮像装置。
【発明の詳細な説明】
【技術分野】
【０００１】
本発明は、撮像装置に関し、特に撮影アシストの回路規模削減に関する。
【背景技術】
【０００２】
セミプロ以上では更なる映像表現のため、マニュアル操作により撮影する場合がある。そのアシスト方法の一つとしてウェーブフォームモニター（以下、ＷＦＭ）がある。ＷＦＭとは、図２に示すように、入力画像２０１に対し、２０２のように、輝度の頻度情報をわかりやすくモニターに表示する測定機能であり、ｘ軸方向は水平方向の画素位置、ｙ軸方向は頻度情報を示している。
【０００３】
ＷＦＭ生成方法を図２を用いて説明する。詳細は後述するが、一般的なＷＦＭ表示は、画像の縦方向の輝度データの頻度情報であり、縦１列単位の輝度情報から算出する。このため、連続した縦１列の情報が必要であり、この情報を得るためには画面全体をメモリに保持する必要がある。つまり、入力画像２０１の画像データを一旦、メモリに記録し、縦１列単位２０３で読み出し、ＷＦＭデータを算出する。ＷＦＭ生成回路は、輝度の頻度情報を生成する回路であり、つまりヒストグラムを生成することと等価である。
【０００４】
特許文献１には、このような一般的なヒストグラムの生成方法を示しており、同様に１画面分のメモリを用いて算出している。
【先行技術文献】
【特許文献】
【０００５】
【特許文献１】特開２０１５−１６２０６４号公報
【発明の概要】
【発明が解決しようとする課題】
【０００６】
しかしながら、近年、入力の画像サイズは大きくなってきており、これに伴い、ＷＦＭデータの算出に必要なメモリサイズも大きくなるため、回路規模が課題となっている。モニターの高画素化が進むと、さらに大きな問題となる。
【０００７】
本発明は、上記の問題点を鑑み、ＷＦＭ算出に必要なメモリの容量を減らすことを目的とする。
【課題を解決するための手段】
【０００８】
上記の目的を達成するために、本発明に係る撮像装置は、
被写体を撮像して記録する撮像装置において、撮像した画像を信号処理して画像データとして出力する信号処理手段と、前記画像データを保持する第１の記憶手段と、前記第１の記憶手段の画像データを読み出して画像データを回転する回転手段と、回転画像を演算処理して頻度情報データとして保持する頻度情報画像化手段と、前記頻度情報画像化手段の出力データを保持する第２の記憶手段と、前記第２の記憶手段に保持されているデータを出力する出力手段と、を有することを特徴とする。
【０００９】
また、本発明に係る撮像装置は、
被写体を撮像して記録する撮像装置において、撮像した画像を縮小処理して縮小画像データを生成する縮小処理手段と、前記縮小画像データを信号処理して画像データとして出力する信号処理手段と、前記画像データを保持する第１の記憶手段と、前記第１の記憶手段の画像データを読み出して画像データを回転する回転手段と、回転画像を演算処理して頻度情報データとして保持する頻度情報画像化手段と、前記頻度情報画像化手段の出力データを保持する第２の記憶手段と、前記第２の記憶手段に保持されているデータを出力する出力手段と、
を有することを特徴とする。
【発明の効果】
【００１０】
本発明に係る撮像装置によれば、ＷＦＭ算出に必要なメモリの容量を減らすことができる。
【図面の簡単な説明】
【００１１】
【図１】第１の実施形態の撮像装置のブロック図
【図２】入力画像に対するＷＦＭ表示例の図
【図３】画像データ回転部の動作図
【図４】ＷＦＭ生成回路のＳＲＡＭ構造を示す図
【図５】撮像装置必須のデータパスに第１の実施形態を適応したブロック図
【図６】第１の実施形態のＷＦＭ表示遅延を改善した、第２の実施形態の撮像装置のブロック図
【発明を実施するための形態】
【００１２】
以下、本発明を実施するための形態について、図面を参照しながら説明する。
【００１３】
＜第１の実施形態＞
図１、図３、図４を用いて、本発明の第１の実施形態を説明する。
【００１４】
図１は、実施形態１の実施形態に関わる変換装置を用いた撮像装置である。
【００１５】
同図において、１０１は信号処理部、１０２はＤＲＡＭ、１０３は画像データ回転部、１０４はＷＦＭ生成回路、１０５はＳＲＡＭ、１０６はアドレス生成部、１０７はタイミング生成部、１０８は加算部、１０９はマルチプレクサ、１１０は読み出し部、１１１はＤＲＡＭ、１１２は出力部である。信号処理部１０１は、ＣＭＯＳセンサーなどの光電変換処理を含み、撮像した画像データを、現像処理などの画像処理を行い、ＤＲＡＭ１０２に保存する。
【００１６】
画像データ回転部１０３は、ＤＲＡＭ１０２から画像データをリードし、回転する手段であり、ＤＲＡＭ１０２の画像データのリードアドレスとライトアドレスの順番を変えることで、９０度回転させたデータを出力する。図３に詳細を示す。ＤＲＡＭ１０２に保存されている画像データは、信号処理部１０１により走査順序３０２でライトされる。一方、画像データ回転部１０３で画像データをリードする際、走査順序３０４のようにアドレスを生成し、リードする。これにより、画像３０１を９０度回転させた、画像３０３となる。
【００１７】
なお、この処理の際、水平同期信号についても、画像３０３に合わせて、走査順序３０４に相当する回転後水平同期信号３０５を生成する。
【００１８】
次に、ＷＦＭ生成回路１０４は、画像データ回転部１０３からの画像データに対し、ＷＦＭ生成処理を行う。以下に、一般的なＷＦＭの生成方法を示す。
【００１９】
ＷＦＭ生成回路１０４は、入力画像の画像データから、縦１列毎の画素値のＷＦＭを生成するものであり、まず、画像データ回転部１０３からの水平同期信号３０５の開始のタイミングに同期してＳＲＡＭ１０５の初期化が開始される。この場合、タイミング生成部１０７により、水平同期信号の開始のタイミングに同期して初期化信号が生成され、アドレス生成部１０６により、タイミング信号に同期してアドレス０から１つずつカウントアップするアドレス信号が順次生成される。
【００２０】
また、タイミング信号の制御により、マルチプレクサ４０５から固定値の‘０’が出力され、アドレス信号により指定されるＳＲＡＭ１０５の各アドレスに‘０’が順次ライトされる。これにより、ＳＲＡＭ１０５が初期化される。ＳＲＡＭ１０５の初期化が終了した後、画像データが入力される期間に、ＷＦＭの生成が開始される。この場合、アドレス生成部１０６により、画像データの画素値がＳＲＡＭ１０５のアドレス信号として順次出力される。
【００２１】
ここで、図４にＳＲＡＭ１０５の構成を示す。４０１のビット深度には、頻度情報を割り当てており、例えば８ビットならば０〜２５５となる。４０２のワード長は、ライン数に割り当てており、例えば１０８０ラインならば少なくとも１０ビット必要である。ＳＲＡＭ１０５は実装するシステムの最大ビット深度、最大ライン長を満たす容量が必要となる。タイミング信号の制御により、画像データの画素値に対応するＳＲＡＭ１０５のアドレスからデータがリードされ、加算部１０８により、リードされたデータに‘１’が加算された加算値が、マルチプレクサ１０９から出力され、ＳＲＡＭ１０５の同じアドレスにライトされる。この動作が縦１列毎の画像データについて繰り返されることにより、ＷＦＭデータを算出する。
【００２２】
読み出し部１１０は、ＳＲＡＭ１０５の出力である生成したＷＦＭデータを、水平同期信号のタイミングでＤＲＡＭ１１１にライトする。出力部１１２は、ＤＲＡＭ１１１からデータをリードし、ＷＦＭを表示するためのディスプレイと、ディスプレイに表示するためのスケーリング回路や色調整回路などを含む。
【００２３】
このように、画像データ回転部１０３で、予め、画像を９０度回転させたデータとして、ＷＦＭ生成回路１０４に入力することで、ＳＲＡＭ１０５は縦１列分の容量があれば、ＷＦＭ生成処理が可能となる。
【００２４】
＜第２の実施形態＞
第１の実施形態では、画像データ回転部で、予め、画像を９０度回転させたデータとして、ＷＦＭ生成処理することで、メモリの容量を削減する方法を示した。実際に、撮像装置必須のデータパスに、第１の実施形態を適応したブロック図を図５に示す。
【００２５】
同図において、５０１はキャプチャ部、５０２はＤＲＡＭ、５０３は現像部、５０４はＤＲＡＭ、５０５は歪補正部、５０６はＤＲＡＭ、５０７は記録、表示部、１０３〜１１２は図１と同様である。
【００２６】
キャプチャ部５０１は、ＣＣＤやＣＭＯＳなどの撮像素子で結像された撮影画像を光電変換して、さらにアナログ・デジタル変換したデジタル信号を出力し、ＤＲＡＭ５０２にライトする。
【００２７】
現像部５０３は、ＤＲＡＭ５０２から画像データをリードし、ＲＧＢのオフセット調整、ゲイン調整、現像ガンマ補正処理等を行い、ＤＲＡＭ５０４にライトする。
【００２８】
歪補正部５０５は、ＤＲＡＭ５０４からリードした画像データに対し、図に記載していない撮影レンズ群により歪曲した映像を補正し、ＤＲＡＭ５０６にライトする。
【００２９】
以上の５０１〜５０５が、図１の信号処理部１０１に相当する。
【００３０】
ここで、画像データ回転部１０３で、画像を回転させる際、１画面分をライトした後に、リードアドレスとライトアドレスの順番を変えることで、９０度回転させたデータを出力するため、少なくとも１Ｖの遅延が生ずる。
【００３１】
図６は、本実施形態に関わる変換装置を用いた画像記録装置である。
【００３２】
６０１は画像縮小部、６０２は現像部、６０３はＤＲＡＭであり、５０１〜５０７は図５、１０３〜１１２は図１と同様である。
【００３３】
ＷＦＭ生成には、５０１〜５０７の必須のデータパスとは別のデータパスを設けており、画像縮小部６０１は、出力部１１２のディスプレイ解像度に合わせ、縮小後、現像処理を行う。
【００３４】
現像部６０２は、画像縮小部６０１の出力画像に対し、現像部５０３の現像処理と同様の処理を行い、処理実行後、ＤＲＡＭ６０３にライトする。これにより、画像縮小部６０１以降の、扱うデータ量が減少し、また、歪補正部５０５の歪補正処理を省略することで、遅延量が少なくなる。なお、画像縮小部６０１と現像部６０２は、入れ替わってもよい。１０３〜１１２は、第１の実施形態と同様である。
【００３５】
このように、前記撮像装置に必須のデータパスに加え、前記ＷＦＭ専用データパスを設けることで、画像データ回転部１０３の挿入で、増加した遅延量を相殺することができる。つまり、ＳＲＡＭ１０５の容量を削減しつつ、表示部５０７のディスプレイ表示と、出力部１１１のディスプレイ表示との遅延量を小さくできる。
【符号の説明】
【００３６】
１０１  信号処理部、１０２  ＤＲＡＭ、１０３  画像データ回転部、
１１２  出力部
【図１】
2020102788.tif 000003
【図２】
2020102788.tif 000004
【図３】
2020102788.tif 000005
【図４】
2020102788.tif 000006
【図５】
2020102788.tif 000007
【図６】
2020102788.tif 000008